(57)【要約】【課題】  プリンタ及び表示装置に接続されたストレージ内の大量の画像データを表示器に表示しスムーズに選択を行う。【解決手段】  回転スイッチと表示器を備え、画像表示中のクリック数に応じて１画面に表示する画像数を変える。表示画面の１画面１画像表示の場合は、最新と二番目、最古の表示データを表示用メモリ上に一次保存しておく。1画面複数画像表示の場合は、回転スイッチの回転方向を検出した後、回転方向に合った次画面表示データを表示用メモリに一時保存する。【選択図】  図３
2007072690.tif 000002
【特許請求の範囲】
【請求項１】
画像表示手段と、画像記憶手段と、画像選択手段とを備え、画像を表示動作中の前記画像選択手段の要求数に応じて、次の画面表示を複数画像表示にする事を特徴とする表示装置。
【請求項２】
画像表示手段と、画像記憶手段と、画像選択手段と、画像印刷手段を備え、画像を表示動作中の前記画像選択手段の要求数に応じて、次の画面表示を複数画像表示にして選択、印刷する事を特徴とする記録装置。
【請求項３】
前記画像選択手段が、回転式のスイッチである事を特徴とする請求項１に記載の表示装置。
【請求項４】
複数画像表示中では画像選択枠が表示され、画像選択手段の操作に応じて前記画像選択枠が移動する事を特徴とする請求項１に記載の表示装置及び記録装置。
【請求項５】
前記画像記憶手段は現在表示用の記憶領域と次の表示用の記憶領域を備える事をする事を特徴とする請求項１に記載の表示装置及び記録装置。
【請求項６】
前記画像表示手段は、１画面１画像表示の場合は、現表示画像の前後の表示データを保存し、1画面複数画像表示の場合は、前記画像選択枠の回転方法を検出後に、回転方向に合った表示データを保存する事を特徴とする請求項１に記載の表示装置及び記録装置。
【請求項７】
前記画像選択手段が、回転式のスイッチである事を特徴とする請求項２に記載の記録装置。
【請求項８】
複数画像表示中では画像選択枠が表示され、画像選択手段の操作に応じて前記画像選択枠が移動する事を特徴とする請求項２に記載の記録装置。
【請求項９】
前記画像記憶手段は現在表示用の記憶領域と次の表示用の記憶領域を備える事をする事を特徴とする請求項２に記載の記録装置。
【請求項１０】
前記画像表示手段は、１画面１画像表示の場合は、現表示画像の前後の表示データを保存し、１画面複数画像表示の場合は、前記画像選択枠の回転方法を検出後に、回転方向に合った表示データを保存する事を特徴とする請求項２に記載の記録装置。
【発明の詳細な説明】
【技術分野】
【０００１】
本発明はメモリカード、HDD等の画像記憶装置、LCD等の画像表示器と、本体の操作を行う操作ボタンを配置した操作部を備える表示装置と、インクジェット方式や昇華方式等の記録部を備える記録装置において、画像記録装置に保存された複数の画像データを表示器に順次表示して、選択、整理、印刷する技術分野に属するものである。
【背景技術】
【０００２】
現在、昇華方式やインクジェット方式で写真画像を実現するプリンタや、メモリカードスロットとLCD備え、パソコンと接続する事なくメモリカード内の写真画像データをLCDに表示して、操作部で選択して印刷を行う事ができる、「フォトダイレクト機能」を有するプリンタが市販されている。
【０００３】
近年、メモリカード等の記憶デバイスの大容量化により、記憶デバイスに大量の画像データを保存できるようになっている。例えば、記憶容量が1GBの記憶デバイスでは、100KBの画像データを10000も保存できる事になる。このような状況下で、前述したフォトダイレクト機能を有するプリンタでは、大量の画像の中からユーザーの求める画像をいかにスムーズに選択できるかが重要となる。
【０００４】
画像選択に関しては、情報処理装置（携帯電話）にジョグダイヤルを搭載し、ジョグダイヤルの回転速度に応じて表示（文字）画像のレベルを変えてジョグダイヤルの押込み動作により選択文字を決定するという方法が提案されている。特開2003-044194号公報。
【特許文献１】特開2003-044194号公報
【発明の開示】
【発明が解決しようとする課題】
【０００５】
上述した画像選択方法は、文字のような比較的軽い画像ではジョグダイヤルに速度に応じて表示レベルを切り替える事が可能となるが、写真画像のように大きなデータの表示切り替えを行うためには、高性能で高価なCPUやメモリ、画像処理ICなどが必要となってしまう。
【０００６】
本件が対象とする記録装置では、プリントが主目的であるため高性能なCPUやメモリ、画像処理ICを備えていない事が多い。そのため、従来の技術では選択デバイスに応じたスムーズな画像表示、選択を行う事が困難であった。
【０００７】
そこで、本発明では高性能で高価なCPUやメモリ、画像処理ICがない場合においても写真のような大きなデータの画像が記憶デバイス内に多数あった場合でも、選択デバイスの操作に応じてストレスなく表示、選択を行うことが可能となる。
【課題を解決するための手段】
【０００８】
上記目的を達成するために、画像表示手段と、画像記憶手段と、画像選択手段とを備え、画像を表示動作中の前記画像選択手段の要求数に応じて、次の画面表示を複数画像表示する事を特徴とするものである。
【０００９】
さらに、上記目的を達成するために、画像表示手段と、画像記憶手段と、画像選択手段と、画像印刷手段を備え、画像を表示動作中の前記画像選択手段の要求数に応じて、次の画面表示を複数画像表示、印刷する事をする事を特徴とするものである。
【００１０】
さらに、上記目的を達成するために、複数画像表示中では画像選択枠が表示され、画像選択手段の操作に応じて前記画像選択枠が移動する事を特徴とするものである。
【００１１】
さらに、上記目的を達成するために、前記画像記憶手段は現在表示用の記憶領域と次の表示用の記憶領域を備える事をする事を特徴とするものである。
【００１２】
さらに、上記目的を達成するために、前記画像表示手段は、１画面１画像表示の場合は、現表示画像の前後の表示データを保存し、1画面複数画像データ表示の場合は、前記画像選択枠の回転方法を検出後に、回転方向に合った表示データを保存する事を特徴とするものである。
【発明を実施するための最良の形態】
【００１３】
以下に図面を参照して本発明の実施の形態を説明する。
【００１４】
（第一の実施例）
図1は、本実施例に係るマルチファンクションプリンタ（MFP）101である。MFP101は、主にプリント部とスキャン部で構成されている。プリント部はインクジェット式のシリアルプリンタ、スキャン部はCCD読取り方式のフラットヘッドスキャナである。また、MFP101の左側にはデジカメ等で保存されたメモリカードを読み書きするためのメモリカードスロット102が設置されている。なお、メモリカードは複数の種類があるため、これらに対応するためメモリカードスロット103の口は2種類ある。さらに、103はデジカメやDVD／CD−ROMドライブ、リムーバブルHDD等の外部機器との接続を行う外部機器接続（USB）端子、10４はMFP101を複数の操作ボタンにより操作する操作部があり、その中央には画像表示やMFPの状態を表示するカラーLCD105が備えられている。
【００１５】
プリント部とスキャン部、メモリカードスロット102、外部機器接続端子103、操作部104、LCD105を備えている事で、PCと接続する事なくストレージ（メモリカード、外付けHDDなど）に保存された複数の画像データを選択、整理、印刷する事ができる。
【００１６】
ここではMFP101のスキャナ部について説明する。図2は、MFP101内のスキャナ部を示しており、上蓋106を持ち上げた時にMFP101を上から見た平面図である。スキャナ部はスキャナキャリッジ201、シャフト202、読取り用画像203、ガラス204、スキャナキャリッジ駆動モータ205によって構成されている。スキャナキヤリッジ201は光源、ミラー、レンズ、CCDで構成され、スキャナキャリッジ201はシャフト202上を移動し、画像を光学的に読取る仕組みとなっている。
【００１７】
画像をスキャンする場合は、MFP101の上蓋107を持ち上げ、スキャンする原稿203をスキャナのガラス204の上に配置し、上蓋107を降ろし、図3の操作部104上のスキャンボタン302を押す。スキャンボタン302が押されると、スキャナキャリッジ201内の光源が点灯し、スキャナキャリッジ201がシャフト上202を移動し、原稿203を照射し、その反射光量をCCDで読取る。読取った画像データをメモリカードや外付けHDDに保存する事も可能である。
【００１８】
ここで、操作部104について説明をする。LCD105上のコピー301、スキャン302、メモリカード303は、MFPの動作モードを切り替えるためのボタンである。304は決定（OK）ボタン、305はLCD上表示の方向操作を行うための方向操作キーである。306は画像の選択やメニューの選択を行うための回転式スイッチである。307は動作を中止するためのリセットボタン、308、309は印刷やスキャンをモノクロで行うかカラーで行うかを選択するボタンである。
【００１９】
ここではMFP101のプリント部について説明をする。図4はMFP101内のプリント部を示している。プリント部は、プリンタキャリッジ401、プリントキャリッジ401下部のプリントヘッド402、インクタンク（４色：右から黒403、シアン404、マゼンタ405、イエロー406）、プリンタキャリッジ401を支えるシャフト407、印刷用紙408を送るための紙送りローラ409、印刷用紙408を支えるプラテン410、キャリッジ及び紙送り駆動用モータ（図示せず）によって構成されている。
【００２０】
印刷が行われる場合は、給紙部108の一番上の印刷用紙408を紙送りローラ409と駆動モータが可動しU字状に引き込む、印刷用紙408の先端がプリントヘッド402の下に到達すると同時にプリンタキャリッジ401は横方向に往復移動し、印刷用紙408にプリントヘッド402から微小なインク滴を吐出する事で１ライン分の印刷を行う。その後１ライン分印刷用紙408を送り、再びプリンタキャリッジ401が移動、印刷を行う。この動作を繰り返し、印刷が終了した後、印刷媒体を排紙トレー107上に排紙し印刷動作完了となる。
【００２１】
図5に本実施例に係るMFP101の電気ブロック図を示した。図5において、502はプリンタキャリッジ上のプリントヘッド501を電気的に制御し、画像データに基づいてインクを吐出させるための駆動パルスを生成するプリントヘッド制御回路である。503は画像を光学的に読取るスキャナユニット、504はスキャナキャリッジ503を移動させるためのスキャナCR（キャリッジ）モータ、505は、プリンタキャリッジを移動させるためのプリンタCR（キャリッジ）モータ、506は印刷媒体を搬送するための紙送りモータ、507はプリントヘッド501のノズル内のつまりなどを回復するポンプを駆動させるための回復動作モータである。508はプリント部、スキャン部の動作をチェックするためのセンサ類、509は各種モータ及びセンサを制御管理する機構制御回路である。
【００２２】
510は後述する処理手順に従って各部の動作を全体的に制御するCPU511を含むASIC、512はそのASIC510が実行する処理手順に対応したプログラムを記憶したROMである。513はASIC510が処理手順を実行する過程でパラメータやスキャンデータを一時保存するためのエリアを有するRAM、514は装置電源オフ時にもプリントヘッド501の状態を保存するためのEEPROM等の不揮発性メモリ、515は画像データされたメモリカード、516は操作部で主にキー情報やLED情報が入出力される。517は表示データを一時保存するためのVRAM、518はLCD519を制御するためのLCDコントローラである。
【００２３】
PC521は、MFPに対して画像データの入出力をなすものであり、プリント、スキャンに係る画像等のデータの処理等を行う装置でありMFPとはインターフェイス（I/F-1）520とケーブルを介して接続される。外部装置523はデジタルカメラ、光ディスク等、HDDの外部機器であり接続はインターフェイス（I/F-2）522とケーブルを介して行われる。
【００２４】
次にメモリカードに保存された画像データを、回転式スイッチを用いて選択、決定する方法について説明をする。まず操作部104のメモリカードボタン303を押す。ここで図6(a)に示すように、LCD105に画像データが表示される。ここで表示された画像はメモリカードに保存された画像データの中で最も新しいものである。図6の右上の数字はメモリカードに入っている画像の総数と、現在表示されている画像の番号である。右下の数字は、写真画像データが保存された日時を示している。
【００２５】
ここでは画像選択用のデバイスである回転スイッチ306について説明する。回転スイッチ306は時計周り、反時計周りに360°回転し、移動時にはクリック感がある。１周（360°）で12クリックあり、１クリックで1画像を切り替えるように設計されている。出力信号は二本で、回転方向に別に出力信号が変化する構成となっている。
【００２６】
図6(a)の状態で、回転スイッチ306を時計方向に1クリック分動かすと図6(b)に示すように、二番目に新しい画像に切り替える。図6(a)の状態で、半時計周りに1クリック分動かすと図6(c)に示すように最も古い画像が表示される。このように回転スイッチ306を回転動作させる事で画像を表示、選択を行う事ができる。印刷したい画像があった場合は、印刷したい画像を表示した状態で決定ボタン304を押すとプリント部が動作し印刷を行う。
【００２７】
次に画像表示中に回転スイッチ306を回転動作した場合について説明する。画像表示は、画像の容量にもよるが、数十ms〜100ms程度時間を要する。なお、回転スイッチ306の信号は、最も速い場合で20ms程度である。このため、表示画像作成中に回転スイッチ306が回転される事がある。このような場合は画像表示中の回転動作数（クリック数）をカウントしておき、カウント数に応じて表示画像を変える制御を行う。
【００２８】
図７は表示画像作成中に2〜5回の回転クリック数があった場合の表示方法である。回転クリック数が2〜5回の場合は、１画面に5つの画像を縮小し同時に表示させる。1画面5画像表示の場合に切り替わった場合は、図7(a)のように選択枠701が真中の画像上に表示される。ここで時計周りに1クリック分、回転スイッチ306を動作させると図7(b)に示すように左下に選択枠が移動する。逆に図7(a)の状態から反時計周りに回転スイッチを１クリック分動作させると図7(c)のように右上に選択枠701が移動する。
【００２９】
図7(b)の状態で１クリック分、回転スイッチ306を動作させると右下に選択枠701は移動する、さらに1クリック分動作させると次の5画像分が１画面に表示される。反時計周りに連続回転させた場合は表示の前5画像分が１画面に表示される。このため、表示画像を切り替える前に、表示画像データの前または後の5画像表示データをVRAM上に用意しておく必要がある。
【００３０】
回転クリック数が6以上になった場合は、図8に示したように1画面9画像表示となる。5画像表示の場合と同様に、現在表示中の表示データの前及び後の9画像表示データをVRAM上に準備するがある。
【００３１】
ここでは図9に示すフローチャートを用いて、写真画像データを回転スイッチで選択、印刷する方法を説明する。まず、MFPのモードがメモリカードモードになっているかを確認する。メモリカードモードでなかった場合は別モードの動作フローへと以降する。メモリカードモードであった場合は、メモリカードのデータを読み込み、３つの表示データ（最も新しい画像、次に新しい画像、最も古い画像）をVRAM上に置き、最も新しい画像データをLCDに表示する。
【００３２】
ここで決定ボタンが押されれば、印刷開始となり印刷を行う。決定ボタンの入力がなく回転スイッチ信号に変化があった場合は、ユーザーは画像の選択、つまり画像表示を変える事になる。ここで回転方向を検出し、時計周りであるなら次に新しい画像、反時計周りなら最も古い画像データを読出し、LCDに表示する。この画像入れ替え時の回転スイッチのカウント数を読取り、カウント数に応じてLCD1画面に表示する画像を決定する。カウント数が１の場合は、１画面１画像表示となる。
【００３３】
カウント数が2〜5の場合は１画面に5画像を表示する。１画面5画像表示にした場合は回転スイッチを動作させると選択枠が移動する。この選択枠で印刷したい画像を選択し、希望画像があった場合は、決定ボタンを押す。決定ボタンが押された場合、選択した画像を拡大（１画像表示）する。再度決定ボタンを押すことで印刷が開始される。決定ボタンの押し動作がなく、回転スイッチの動作があった場合は、回転方向、クリック数を検出する。回転方向とクリック数に応じて選択枠の移動と次画面の表示データを作成しておく。
【００３４】
カウント数が6以上の場合は１画面に9像を表示し、１画面9画像表示と同様の制御を行う。1画面に複数枚表示の場合は、回転方向を検出後に次の画像データを作成する事でVRAMの使用容量を節約する事ができる。
【００３５】
以上、説明したように本実施例では、回転式のスイッチを用いてストレージ内の写真画像データを選択する際、安価かつ簡単な構成、方法でスムーズに写真画像を表示、選択する事が可能となる。
【００３６】
本発明は印刷部、読取り部、メモリカードスロット、表示部を持ったMFPに限らず、プリンタや画像表示器等であってもよい。
【００３７】
なお、本発明の実施の形態では、検出対象の液体としてインクを用いたが、他に反応液や薬品などインク以外の液体の場合にも適用する事ができる。また、インクジェットヘッドもバブルジェット（登録商標）方式のインクジェットに限らず、ピエゾ方式、熱転写方式などのプリンタにも適応可能である。
【００３８】
本実施例では画像データとして写真画像データ、写真データに限らずスキャンデータ、文字データなどであってもよい
VRAMの容量に余裕がある場合は、表示画像の前後複数の表示データを一次保存しておくことで高速動作時での画面書き換え時間を短縮する事が可能である。
【図面の簡単な説明】
【００３９】
【図１】実施形態１に係る複合機の構成図（正面図）。
【図２】実施形態１に係る複合機のスキャナ部の構成図。
【図３】実施形態１に係る複合機の操作部の構成図。
【図４】実施形態１に係る複合機のプリント部の構成図。
【図５】実施形態１に係る複合機のブロック図。
【図６】実施形態１に係る複合機の表示部（１画面１画像表示）。
【図７】実施形態１に係る複合機の表示部（１画面５画像表示）。
【図８】実施形態１に係る複合機の表示部（１画面９画像表示）。
【図９】実施形態１に係るフローチャート図。
【符号の説明】
【００４０】
101  複合機（マルチファンクションプリンタ）本体
102  メモリカードスロット
103  外部機器接続端子
104  操作部
105  表示器（LCD）
106  上蓋
107  排紙トレー
108  給紙部
201  スキャナキャリッジ
202  スキャナキャリッジ用シャフト
203  原稿
204  ガラス
205  スキャナキャリッジ駆動モータ
301  コピーボタン
302  スキャンボタン
303  メモリカードボタン
304  決定（OK）ボタン
305  方向操作ボタン
306  回転式スイッチ
307  リセットボタン
308  モノクロ用ボタン
309  カラー用ボタン
401  プリンタキャリッジ
402  プリントヘッド
403  インクタンク（黒）
404  インクタンク（シアン）
405  インクタンク（マゼンタ）
406  インクタンク（イエロー）
407  プリンタキャリッジ用シャフト
408  印刷用紙
409  紙送りローラ
410  プラテン
501  プリントヘッド
502  プリントヘッド制御回路
503  スキャナユニット
504  スキャナCR（キャリッジ）モータ
505  プリンタCR（キャリッジ）モータ
506  紙送りモータ
507  回復モータ
508  センサ類
509  機構制御回路
510  ASIC
511  CPU
512  ROM
513  RAM
514  EEPROM
515  メモリカード
516  操作・表示部
517  VRAM
518  LCDコントローラ
519  LCD
520  インターフェイス-1
521  ホスト装置
522  インターフェイス-2
523  外部機器
701  選択枠
801  選択枠
【図１】
2007072690.tif 000003
【図２】
2007072690.tif 000004
【図３】
2007072690.tif 000005
【図４】
2007072690.tif 000006
【図５】
2007072690.tif 000007
【図６】
2007072690.tif 000008
【図７】
2007072690.tif 000009
【図８】
2007072690.tif 000010
【図９】
2007072690.tif 000011